Podtech/llm-jp-corpus-v4-ja_patent huggingface dataset:
【手続補正書】
【提出日】平成26年6月23日(2014.6.23)
【手続補正１】
【補正対象書類名】特許請求の範囲
【補正対象項目名】全文
【補正方法】変更
【補正の内容】
【特許請求の範囲】
【請求項１】
電子機器を冷却するためのシステムであって、
大気を使用して電子機器と熱連通する第１の流体を冷却するように構成されるフリークーリングシステムと、
前記フリークーリングシステムに結合される機械サブクーリングシステムであって、前記フリークーリングシステムがその最大冷却容量を超える量の関数として、前記フリークーリングシステム内を流れる第２の流体を冷却するように構成される前記機械システムと、
を備える、システム。
【請求項２】
前記フリークーリングシステムが、
大気を使用して前記第２の流体を冷却するように構成されるフリークーリング装置と、
前記フリークーリング装置と流体連通するメイン熱交換器であって、前記前記第１の流体から第２の流体への熱伝達を可能にするように構成される前記メイン熱交換器と、
を備える、請求項１に記載のシステム
【請求項３】
前記機械サブクーリングシステムが、前記第２の流体の前記温度の関数として前記メイン熱交換器に流れ込む前記第２の流体を冷却するように構成される、請求項２に記載のシステム。
【請求項４】
前記機械サブクーリングシステムが、
前記メイン熱交換器に流れ込む前記第２の流体から、前記第１熱交換器を通って流れる第３の流体への熱伝達を可能にするように構成される第１の熱交換器と、
前記第１の熱交換器と流体連通し、前記第１の熱交換器から流れ出す前記第３の流体を圧縮するように構成される圧縮機と、
前記圧縮機と流体連通し、前記圧縮された第３の流体から、前記メイン熱交換器から流れ出す前記第２の流体への熱伝達を可能にするように構成される第２の熱交換器と、
前記第１の熱交換器と前記第２の熱交換器との間で流体結合される減圧ユニットであって、前記第２の熱交換器から前記第１の熱交換器へ流れる前記第２の流体の前記温度を下げるように構成される前記減圧ユニットと、
を備える、請求項２に記載のシステム。
【請求項５】
大気の湿球温度を感知するように構成される温度センサと、
前記センサおよび前記圧縮機に結合される制御装置であって、前記検知された大気の湿球温度の関数として前記圧縮機の前記速度を変えるように構成される前記制御装置と、
をさらに備える、請求項４に記載の冷却システム。
【請求項６】
前記メイン熱交換器から流れ出す前記第１の流体を受け入れるように構成される流体受器と、
前記流体受器に入れられる前記第１の流体の前記液面を感知するように構成されるセンサと、
前記第１の流体受器に入れられる前記第１の流体の前記液面が所定のレベルを下回るときに前記第１の流体を冷却するように構成される第２の機械サブクーリングシステムと、
をさらに備える、請求項４に記載のシステム。
【請求項７】
前記第２の機械サブクーリングシステムが、
前記流体受器内に置かれ、前記流体受器に入れられる前記第１の流体から、前記第３の熱交換器を通って流れる第４の流体への熱伝達を可能にするように構成される第３の熱交換器と、
前記第３の熱交換器と流体連通し、前記第３の熱交換器から流れ出す前記第４の流体を圧縮するように構成される第２の圧縮機と、
前記第２の圧縮機と流体連通し、前記圧縮された第４の流体から、前記第２の流体への熱伝達を可能にするように構成される第４の熱交換器と、
前記第３の熱交換器と前記第４の熱交換器との間で流体結合される減圧ユニットであって、前記第４の熱交換器から前記第３の熱交換器へ流れる前記第４の流体の前記温度を下げるように構成される前記減圧ユニットと、
を備える、請求項６に記載のシステム。
【請求項８】
前記第１の流体、前記第３の流体、および前記第４の流体が冷媒を含み、前記第２の流体が水を含む、請求項７に記載の冷却システム。
【請求項９】
前記機械サブクーリングシステムが前記電子機器に密結合される、請求項１に記載の冷却システム。
【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
スピンコントロールを使用してデータの書式設定およびグラフ化を一時的に行う方法であって、
ディスプレイ上に現在表示されているデータのユーザ選択を受け取るステップと、
前記選択されたデータ内の値を判定するステップと、
前記選択されたデータから前記値を表すグラフを自動的に表示するステップであって、前記グラフは、前記データのユーザ選択を受け取ることに応答して自動的に作成され、表示される、ステップと、
中心点の周りを回転し前記中心点の周りのパイ型領域に配置されたオプションを含むスピンコントロールのグラフィカルユーザインターフェースを表示するステップであって、前記オプションは、選択されると前記グラフの表示に作用し、前記中心点は、前記グラフの近傍に位置し、前記スピンコントロールのグラフィカルユーザインターフェースの一部分は、前記グラフの表示によって部分的に隠される、ステップと、
を含むことを特徴とする方法。
【請求項２】
前記スピンコントロールは時計回り及び反時計回りに回転し、前記スピンコントロールの動きにより、前記チャートに適用される異なるオプションが表示されることを特徴とする請求項１記載の方法。
【請求項３】
現在適用されているオプションを表すパイ型領域の外側にある、前記スピンコントロール内のパイ型領域を選択するポインティングデバイスを判定したことに応じて、前記スピンコントロールを回転して前記異なるオプションを表示するステップをさらに含むことを特徴とする請求項２記載の方法。
【請求項４】
前記スピンコントロールを回転することにより、別のオプションが自動的に選択され、前記別のオプションが前記表示されたグラフに適用されることを特徴とする請求項２記載の方法。
【請求項５】
前記スピンコントロールの前記中心点は前記表示されたグラフの角に位置していることを特徴とする請求項２記載の方法。
【請求項６】
スピンコントロールのグラフィカルユーザインターフェースと対話するためのコンピュータ実行可能命令を有するコンピュータ可読記憶媒体であって、前記命令はコンピュータのプロセッサ上で実行されると、コンピュータに、
データのユーザ選択を受け取ることに応答して、前記データのユーザ選択に含まれる値から作成されるドキュメントを自動的に表示するステップと、
スピンコントロールのグラフィカルユーザインターフェース内に提示するオプションを判定するステップであって、前記オプションは選択されると、前記表示されたドキュメントに適用される、ステップと、
前記スピンコントロールを前記表示されたドキュメントの近傍に前記表示されたドキュメントによって部分的に見えなくされた状態で表示するステップであって、前記スピンコントロールは、前記スピンコントロール内に提示するよう判定された前記オプションに基づいて、複数のパイ型領域に分割され、前記パイ型領域の各々が前記判定されたオプションの１つを表す、ステップと、
ユーザ入力をモニタリングして、いつ前記スピンコントロールが対話されたかを判定するステップと、
前記スピンコントロールがユーザ入力によって操作されたことに応じて、前記スピンコントロールの表示を更新し、前記スピンコントロールの異なる一部分が前記表示されたドキュメントによって部分的に見えなくされる結果をもたらすステップであって、前記スピンコントロールは中心点の周りを回転するステップと、
前記スピンコントロールの回転に応じて選択されるオプションを適用するステップと、
を含むことを実行させることを特徴とするコンピュータ可読記憶媒体。
【請求項７】
スピンコントロールのグラフィカルユーザインターフェース要素を表示して対話するシステムであって、
プロセッサ及びコンピュータ可読記憶媒体と、
前記コンピュータ可読記憶媒体に格納され、前記プロセッサ上で実行されるオペレーティング環境と、
ドキュメント及び前記スピンコントロールを表示するディスプレイと、
前記プロセッサ上で動作し、タスクを実行するよう構成されるビジュアルマネージャと、
を含み、前記タスクは、
データのユーザ選択を受け取ることに応答して、前記データのユーザ選択に含まれる値から作成されるドキュメントを自動的に表示するステップと、
前記スピンコントロールのグラフィカルユーザインターフェース内に提示するオプションを判定するステップであって、前記オプションは選択されると、前記表示されたドキュメントに適用される、ステップと、
前記スピンコントロールを前記ドキュメントの表示の近傍の前記ディスプレイに、前記表示されたドキュメントによって部分的に見えなくされた状態で表示するステップであって、前記スピンコントロールは、前記スピンコントロール内に提示するよう判定された前記オプションに基づいて複数のパイ型領域に分割され、前記パイ型領域の各々が前記判定されたオプションのうちの１つを表す、ステップと、
ユーザ入力をモニタリングして、いつ前記スピンコントロールが起動するかを判定するステップと、
前記スピンコントロールが起動したことに応じて、前記スピンコントロールの表示を更新し、前記スピンコントロールの異なる一部分が前記表示されたドキュメントによって部分的に見えなくされる結果をもたらすステップであって、前記スピンコントロールは中心点の周りを回転する、ステップと、
前記スピンコントロールの回転に応じて選択オプションを自動的に適用するステップと、
前記表示されたドキュメントが前記ディスプレイから除去されたことに応じて、前記スピンコントロールを前記ディスプレイから除去するステップと、
を含むことを特徴とするシステム。
【請求項８】
前記スピンコントロールは時計回り及び反時計回りに回転し、前記スピンコントロールの前記回転により、前記ドキュメントに適用する異なるオプションが表示され、現在適用されているオプションは、前記スピンコントロールのパイ型領域内に提示され、前記スピンコントロールは前記ドキュメントに対して斜めに表示されることを特徴とする請求項７記載のシステム。
【請求項９】
現在適用されているオプションを表すパイ型領域の外側にある、前記スピンコントロール内のパイ型領域を選択するポインティングデバイスを判定したことに応じて、前記スピンコントロールを回転して前記異なるオプションを表示することをさらに含むことを特徴とする請求項８記載のシステム。
【請求項１０】
前記スピンコントロールは前記ドキュメントの角に位置していることを特徴とする請求項８記載のシステム。
【手続補正書】
【提出日】平成26年5月19日(2014.5.19)
【手続補正１】
【補正対象書類名】明細書
【補正対象項目名】００４０
【補正方法】変更
【補正の内容】
【００４０】
図４Ｃは、キューとしてのＲＦＩＤタグ情報の一例を示す。一般的に、ＲＦＩＤタグは、集積回路とアンテナとを含む。このタグは、ＲＦＩＤ読取装置からの信号を検出し、製品型コード４０５、固有の製品識別コード４０７および／またはその他の情報４０９を含み得る信号を返す。プロセッサ１１２は、一定のコードをキューとして検出する、または、一定期間にわたって受信されたタグ情報をキューであると検出するように、プログラムされていてもよい。
【手続補正２】
【補正対象書類名】明細書
【補正対象項目名】００６４
【補正方法】変更
【補正の内容】
【００６４】
電源ボタン６４２を用いてゲーム機５００の電源をオンおよびオフする。ある実現例では、ゲーム機が不注意でオフにされる可能性を低くするために、ゲーム機をオフにするのに電源ボタン６４２を特定時間（たとえば、１または２秒）押さなければならない。リセットボタン６４３を用いてゲーム機５００をリセット（再起動）する。
【手続補正３】
【補正対象書類名】図面
【補正対象項目名】図６
【補正方法】変更
【補正の内容】
【図６】
2013532336.tif 000001
【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
電子装置における接地のためのシステムであって、
第１の接地面および当該第１の接地面をコンポーネントに接続するように意図された少なくとも１つのフットプリントを含む第１の電子基板であって、該少なくとも１つのフットプリントは、該コンポーネントに接続するように構成された該第１の電子基板上に閉じたラインを画成する、該第１の電子基板と、
第２の接地面を含み、前記第１の電子基板上に重ねられる少なくとも１つの第２の電子基板と、
接地用の金属部材と、
を備え、
前記金属部材は、前記第１の電子基板と垂直な壁部と前記第１の電子基板と平行なベースとを含み、
前記金属部材は、前記壁部が前記少なくとも１つのフットプリントのうちの１つによって画成された前記閉じたラインを突出させたものに対応し、かつ前記ベースの形状が前記閉じたラインによって画成される形状に対応するように寸法が決められ、
前記ベースは、前記第２の電子基板と接触する要素を含むことにより、前記第２の接地面を前記第１の接地面と電気的に接続する、前記システム。
【請求項２】
前記第２の電子基板と接触する前記要素がコンタクト・ストリップである、請求項１に記載のシステム。
【請求項３】
前記第２の電子基板と接触する前記要素がボールである、請求項１に記載のシステム。
【請求項４】
前記壁部は、前記少なくとも１つのフットプリントのうちの１つと接触する少なくとも２つのパッドを含む、請求項１に記載のシステム。
【請求項５】
前記金属部材は、前記第１の電子基板上に組み立てられ、はんだ付けされる、請求項１〜４のいずれか１項に記載のシステム。
【請求項６】
コンポーネントが前記第１の電子基板と前記金属部材との間に位置し、該金属部材は該コンポーネントのシールディングをも行う、請求項１〜５のいずれか１項に記載のシステム。
【請求項７】
前記システムは、モジュラー方式であり、複数の金属部材のうち前記第１の電子基板の複数のフットプリントに適応するように構成された金属部材を使用して、複数の電子基板のうち第２の電子基板を接地可能とする、請求項１〜６のいずれか１項に記載のシステム。
【請求項８】
前記第１の接地面をコンポーネントに接続するように意図された前記フットプリントがシールディング・コンポーネント・フットプリントである、請求項１〜７のいずれか１項に記載のシステム。
【請求項９】
前記システムは、前記第２の電子基板上に接続されたシールディング・コンポーネントをさらに備え、該シールディング・コンポーネントが前記金属部材と前記第２の電子基板との間に配置されることにより前記第２の接地面を前記第１の接地面に電気的に接続する、請求項１〜８のいずれか１項に記載のシステム。
【請求項１０】
前記第２の電子基板は、前記第２の接地面をコンポーネントに接続するように意図された少なくとも１つのフットプリントを含み、前記第２の電子基板の該少なくとも１つのフットプリントが前記金属部材の前記要素と接触することにより前記第２の接地面を前記第１の接地面に電気的に接続する、請求項１〜８のいずれか１項に記載のシステム。
【請求項１１】
前記第２の電子基板は、前記金属部材の上方に、前記シールディング・コンポーネントが接続される一方の側または前記第２の接地面に接続するように意図されたフットプリントを含む他方の側に、区別なしに重ねられる、請求項１〜９のいずれか１項に記載のシステム。
【請求項１２】
前記電子装置は、プラスチック筐体を含む、請求項１〜１１のいずれか１項に記載のシステム。
【請求項１３】
前記電子装置は、復号器（セットトップ・ボックス）である、請求項１〜１２のいずれか１項に記載のシステム。
【手続補正２】
【補正対象書類名】明細書
【補正対象項目名】００２５
【補正方法】変更
【補正の内容】
【００２５】
図６は、好ましい実施形態に係るシステムに含まれる複数の異なる組み立てられた要素を示している。コネクタ１０９および１１０が組み立てられ、これらは、第１の電子基板１００上に第２の電子基板１１１を固定する。改良された例によれば、ベースは、第１の電子基板１００上に第２の電子基板１１１が重ねられた状態で固定されるのを補助する。第２の電子基板１１１は、第１の電子基板上にはんだ付けされる金属部材１０３のコンタクト・ストリップと接触する。図示された実施形態によれば、一方では、シールディング・コンポーネント１０２は、第２の接地面に接続された第２の電子基板１１１上に組み立てられる。他方では、シールディング・コンポーネント１０２は、第１の接地面に接続されたコンタクト・ストリップと接触する。従って、このシールディング・コンポーネント１０２および金属部材１０３は、第１の接地面および第２の接地面を接続させる。図示しない別の実施形態によれば、第２の電子基板は、逆さまに配置される。即ち、第２の電子基板が接地フットプリントを介して金属部材と接触することにより、第１の接地面と第２の接地面とが接続される。この場合、シールディング・コンポーネントが第２の電子基板上のこのシールディング・コンポーネントのアセンブリによって、第２の接地面と接続され、システムの接地部にも接続される。例えば、上部側と呼ばれて区別される側（１１１ａ）には、シールディング・コンポーネントが接続され、例えば、底部側と呼ばれる側（１１１ｂ）は、接地フットプリントを有する。従って、システムは、いずれの側を介してもアセンブリを機能させるという利点がある。
【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
エンティティー相互の社会的つながりを識別するためにコンピューターにより実現される方法であって、
コンピューティングデバイスを用いて、
エンティティー間の社会的つながりを識別する、社会的ネットワークまたは通信ネットワークの一部ではない二以上の一般のＷｅｂページのセットを受信するステップと、
前記Ｗｅｂページの各々の内容を解析して情報ブロックにするステップと、
各Ｗｅｂページの前記情報ブロックにある前記エンティティーの名前を識別するステップと、
各Ｗｅｂページの前記情報ブロックにある前記名前間の距離を考慮して、前記二以上の一般のＷｅｂページの各Ｗｅｂページの前記情報ブロックにある前記エンティティーの名前相互の社会的つながりをランク付けするステップと、
前記全ての情報ブロックから前記ランク付けされた社会的つながりを統合して、前記エンティティーの名前に関連する前記エンティティー間の前記つながりの強さを判定するステップと
前記二以上のＷｅｂページの各Ｗｅｂページ上の社会的つながりのランキングを用いて、前記エンティティーの名前に関連する前記エンティティー間の前記つながりの前記強さに基づいて、ソーシャルネットワーキンググラフを出力するステップと
を有する、
コンピューターにより実現される方法。
【請求項２】
前記エンティティーの名前相互の前記社会的つながりをランク付けするステップはさらに、つながりの重みを、エンティティーの名前に関連付けるステップを備える請求項１に記載のコンピューターにより実現される方法。
【請求項３】
前記Ｗｅｂページの各々の前記内容を解析するステップはさらに、ビジュアルパーサーを使用して前記内容を情報ブロックにするステップを備える請求項１に記載のコンピューターにより実現される方法。
【請求項４】
ソーシャルネットワークまたは通信アプリケーションに関連しない一般のＷｅｂページから抽出されるエンティティーの名前相互の社会的つながりを、名前を表す頂点のセットと、社会的つながりを表す辺のセットとを有する２次元グラフの形式で表示するシステムであって、
汎用コンピューティングデバイスと、
前記汎用コンピューティングデバイスにより実行可能なプログラムモジュールを備えるコンピュータープログラムとを備え、
前記コンピューティングデバイスは、前記コンピュータープログラムのプログラムモジュールにより、
ソーシャルグラフの所有者と、ソーシャルネットワークまたは通信アプリケーションに関連しない前記一般のＷｅｂページから得られる追加エンティティーとの間の社会的つながりのランク付けされたリストを入力し、
前記ソーシャルグラフの所有者を、前記２次元グラフの中心に中心点として配置し、
前記ランク付けされたリストにある各エンティティーに対し、前記ランク付けされたリストにあるエンティティーの名前を表す頂点を、前記中心点の周りの異なる軌道に配置し、前記軌道においては、前記軌道の半径がより短ければ、前記軌道にある前記頂点と前記中心点との間の前記社会的つながりはより強く、
前記頂点間のつながり度に準じて、前記頂点を異なるクラスターにクラスタリングし、
力学モデルを使用して２次元のレイアウトの均一性を最適化するように指示され、
前記力学モデルは、
各２つの頂点の間の斥力と、
前記辺相互の引力と、
隣接軌道間の斥力と、
互いにつながりを有さないクラスターを隔離する突き抜け不可の境界とを備える
システム。
【請求項５】
各頂点、各辺、各軌道、および各突き抜け不可の境界は、力に準じて移動が可能となるように、放射状にもしくは接線方向のいずれかに自由であり、または放射状におよび接線方向の両方に自由であることを特徴とする請求項４に記載のシステム。
【請求項６】
ディスプレイ上に２次元のグラフを表示し、ユーザーに前記２次元グラフの操作を可能とさせるグラフィカルユーザーインターフェースをさらに備えることを特徴とする請求項４に記載のシステム。
【請求項７】
前記グラフィカルユーザーインターフェースはさらに、前記２次元グラフの前記頂点を色付きで表示し、互いに近接する頂点は近似する色で表示されることを特徴とする請求項４に記載のシステム。
【請求項８】
前記頂点の前記色は、０度から３６０度までの前記頂点の位置の極座標に準じて変化することを特徴とする請求項４に記載のシステム。
【請求項９】
前記グラフィカルユーザーインターフェースはさらに、ユーザーが頂点を選択するときに新しい２次元グラフに変化しようとする２次元グラフを備える、アニメーションを備えることを特徴とする請求項４に記載のシステム。
【請求項１０】
エンティティー相互の社会的つながりを識別するコンピュータプログラムであって、
コンピューティングデバイスにより実行されると、前記コンピューティングデバイスに、
エンティティー間の社会的つながりを識別する、社会的ネットワークまたは通信ネットワークの一部ではない二以上の一般のＷｅｂページのセットを受信するステップと、
前記Ｗｅｂページの各々の内容を解析して情報ブロックにするステップと、
各Ｗｅｂページの前記情報ブロックにある前記エンティティーの名前を識別するステップと、
各Ｗｅｂページの前記情報ブロックにある前記名前間の距離を考慮して、前記二以上の一般のＷｅｂページの各Ｗｅｂページの前記情報ブロックにある前記エンティティーの名前相互の社会的つながりをランク付けするステップと、
前記全ての情報ブロックから前記ランク付けされた社会的つながりを統合して、前記エンティティーの名前に関連する前記エンティティー間の前記つながりの強さを判定するステップと
前記二以上のＷｅｂページの各Ｗｅｂページ上の社会的つながりのランキングを用いて、前記エンティティーの名前に関連する前記エンティティー間の前記つながりの前記強さに基づいて、ソーシャルネットワーキンググラフを出力するステップと
を実行させるコンピュータープログラム。
【手続補正書】
【提出日】平成26年5月16日(2014.5.16)
【手続補正１】
【補正対象書類名】特許請求の範囲
【補正対象項目名】全文
【補正方法】変更
【補正の内容】
【特許請求の範囲】
【請求項１】
ビデオフレームの時系列を有するディジタルビデオに関しビデオフレームのランク付けを行う方法であって、
コンピュータ装置により、前記ディジタルビデオを解析してカメラ固定パターンを判別するステップと、
前記コンピュータ装置により、前記ディジタルビデオに関し一組のビデオフレームを判別するステップと、
前記コンピュータ装置により、前記カメラ固定パターンに応じて前記ビデオフレームをランク付けするステップであって、前記カメラ固定パターンは、前記一組のビデオフレームのビデオフレームそれぞれにおいて捕捉されている画像シーンの領域を表し、前記ビデオフレームのランク付けは、前記画像シーンの同様な捕捉された領域を含むビデオフレームの数に基づくステップと
を含む方法。
【請求項２】
請求項１記載の方法であって、前記ディジタルビデオを解析して前記カメラ固定パターンを判別するステップは、大域モーション解析を行って前記カメラ固定パターンを判別するステップを含む方法。
【請求項３】
請求項２記載の方法であって、前記大域モーション解析は加速度計からのデータを解析するステップを含む方法。
【請求項４】
請求項２記載の方法であって、前記大域モーション解析は、ディジタルモーション推定アルゴリズムを使用して前記ディジタルビデオを解析するステップを含む方法。
【請求項５】
請求項１記載の方法であって、前記カメラ固定パターンをカメラ固定パターン領域に量子化するステップを更に含む方法。
【請求項６】
請求項５記載の方法であって、前記カメラ固定パターンのカメラ固定パターン領域はそれぞれ、前記カメラ固定パターン領域における固定位置を有するビデオフレームの数の関数である関連付けられた固定値を有する方法。
【請求項７】
請求項５記載の方法であって、各ビデオフレームが、対応するカメラ固定パターン領域を有する方法。
【請求項８】
請求項６記載の方法であって、前記ビデオフレームは前記固定値により、当初、ランク付けされる方法。
【請求項９】
請求項8記載の方法であって、前記ビデオフレームのランク付けは、冗長性を減らすために事後的に調節される方法。
【請求項１０】
請求項１記載の方法であって、前記一組のビデオフレームを求めるステップは、
前記ディジタルビデオを解析して重要度値を時間の関数として判別するステップと、
時間の関数としての前記重要度値に応じた前記ビデオフレームの時間的再配置により、前記ディジタルビデオの歪み時間表現を形成するステップと、
前記歪み時間表現を一組の等長期間に分割するステップと、
各期間内の前記ディジタルビデオを解析することにより、期間毎にビデオフレームを選択するステップと
を含む方法。
【請求項１１】
請求項1記載の方法であって、
最高ランクが付けられたビデオフレームに対応するビデオ断片を形成するステップと、
前記ビデオ断片を組み立ててビデオサマリを形成するステップと、
前記ビデオサマリの表現をプロセッサ可アクセスメモリに格納するステップと
を更に含む方法。
【請求項１２】
ディジタルビデオカメラシステムであって、
画像センサと、
前記画像センサ上にシーンの画像を形成するよう構成された光学系と、
データ処理システムと、
前記データ処理システムに対して通信可能に接続され、ディジタルビデオに関するランク付けされたビデオフレームを提供する方法を前記データ処理システムに実現させるよう構成された命令を格納するメモリシステムと
を備え、前記命令は、
前記画像センサを使用してディジタルビデオを捕捉する命令であって、前記ディジタルビデオはビデオフレームの時系列を有する命令と、
前記ディジタルビデオを解析してカメラ固定パターンを判別する命令
と、
前記ディジタルビデオに関し一組のビデオフレームを判別する命令と、
前記カメラ固定パターンに応じてビデオフレームをランク付けする命令と
を含み、前記カメラ固定パターンは、前記一組のビデオフレームのビデオフレームそれぞれにおいて捕捉されている画像シーンの領域を表し、前記ビデオフレームのランク付けは、前記画像シーンの同様に捕捉された領域を含むビデオフレームの数に基づくディジタルビデオカメラシステム。
【請求項１３】
請求項１２記載のディジタルビデオカメラシステムであって、前記一組のビデオフレームを判別する命令は、
前記ディジタルビデオを解析して重要度値を時間の関数として判別する命令と、
時間の関数としての前記重要度値に応じたビデオフレームの時間的再配置により、前記ディジタルビデオの歪み時間表現を形成する命令と、
前記歪み時間表現を一組の等長期間に分割する命令と、
各期間内のディジタルビデオを解析することにより、期間毎にビデオフレームを選択する命令と
を含むディジタルビデオカメラシステム。
【請求項１４】
請求項１２記載のディジタルビデオカメラシステムであって、前記ビデオフレームをランク付けする命令は、低いカメラ固定の領域よりも高い、高いカメラ固定の領域に対応するビデオフレームをランク付けする命令を含むディジタルビデオカメラシステム。
【請求項１５】
請求項１記載の方法であって、前記ビデオフレームをランク付けするステップは、低カメラ固定の領域よりも高い、高いカメラ固定の領域に対応するビデオフレームをランク付けするステップを含む方法。
【請求項１６】
請求項１記載の方法であって、前記ディジタルビデオを解析してカメラ固定パターンを判別するステップは、連続するビデオフレームの画素位置ずれを判別し、前記一組のビデオフレームにわたる累積画素位置ずれを追跡するステップを含む方法。
【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
治療または予防の必要な被験体において、病的心肥大、心臓リモデリング、心筋梗塞、または心不全を治療または予防するための医薬組成物であって、ｍｉＲ−３７８および／またはｍｉＲ−３７８＊の発現または活性の阻害剤を含む医薬組成物。
【請求項２】
前記医薬組成物が、皮内、皮下、筋肉内、腹腔内、もしくは静脈内投与経路による投与、または心臓組織中への直接注射による投与のために調製される、請求項１に記載の医薬組成物。
【請求項３】
治療または予防の必要な被験体の代謝障害を治療または予防するための医薬組成物であって、ｍｉＲ−３７８および／またはｍｉＲ−３７８＊の発現または活性の阻害剤を含む医薬組成物。
【請求項４】
前記代謝障害が、メタボリック症候群、肥満症、糖尿病、糖尿病性腎症、インスリン抵抗性、アテローム硬化症、脂質蓄積障害、糖原病、中鎖アシル−補酵素Ａデヒドロゲナーゼ欠損、または異常なグルコース取込みおよび／もしくは利用である、請求項３に記載の医薬組成物。
【請求項５】
前記脂質蓄積障害が、ニーマン・ピック病、ゴーシェ病、ファーバー病、ファブリ病、ウォルマン病、およびコレステリルエステル蓄積症からなる群から選択される、請求項４に記載の医薬組成物。
【請求項６】
被験体の脂肪酸代謝を調節するための医薬組成物であって、ｍｉＲ−３７８および／またはｍｉＲ−３７８＊の発現または活性のモジュレーターを含む医薬組成物。
【請求項７】
前記モジュレーターがｍｉＲ−３７８および／またはｍｉＲ−３７８＊の発現または活性の阻害剤である、請求項６に記載の医薬組成物。
【請求項８】
脂肪酸代謝が増大する、請求項７に記載の医薬組成物。
【請求項９】
前記ｍｉＲ−３７８および／またはｍｉＲ−３７８＊の阻害剤がアンチセンスオリゴヌクレオチドである、請求項１、３または７に記載の医薬組成物。
【請求項１０】
前記アンチセンスオリゴヌクレオチドが、ｍｉＲ−３７８および／またはｍｉＲ−３７８＊の成熟配列に少なくとも部分的に相補的な配列を含む、請求項９に記載の医薬組成物。
【請求項１１】
前記アンチセンスオリゴヌクレオチドが少なくとも１つの糖修飾および／または骨格修飾を含む、請求項１０に記載の医薬組成物。
【請求項１２】
前記糖修飾がロックド核酸である、請求項１１に記載の医薬組成物。
【請求項１３】
前記骨格修飾がホスホロチオエート結合である、請求項１１に記載の医薬組成物。
【請求項１４】
前記アンチセンスオリゴヌクレオチドが約７〜約１８ヌクレオチド長である、請求項１０に記載の医薬組成物。
【請求項１５】
前記モジュレーターがｍｉＲ−３７８および／またはｍｉＲ−３７８＊の発現または活性のアゴニストである、請求項６に記載の医薬組成物。
【請求項１６】
脂肪酸代謝が、前記ｍｉＲ−３７８および／またはｍｉＲ−３７８＊アゴニストとの接触後の細胞において、前記アゴニストに暴露されなかった細胞と比較して、増大する、請求項１５に記載の医薬組成物。
【請求項１７】
前記アゴニストがｍｉＲ−３７８および／またはｍｉＲ−３７８＊の成熟配列を含むポリヌクレオチドである、請求項１５に記載の医薬組成物。
【請求項１８】
前記細胞が、心筋細胞、骨格筋細胞、前脂肪細胞、または脂肪細胞である、請求項６に記載の医薬組成物。
【請求項１９】
前記アンチセンスオリゴヌクレオチドが、配列番号７、配列番号８、配列番号９、配列番号１０、配列番号１１、配列番号１２、配列番号１３、配列番号１４、配列番号１５、配列番号１６、配列番号１７、配列番号１８、配列番号１９、配列番号２０、配列番号２１、および配列番号２２からなる群から選択される配列を有する、請求項１０に記載の医薬組成物。
【請求項２０】
前記医薬組成物が、皮内、皮下、筋肉内、腹腔内、もしくは静脈内投与経路による投与のために調製される、請求項３または６に記載の医薬組成物。
【手続補正書】
【提出日】平成26年1月28日(2014.1.28)
【手続補正１】
【補正対象書類名】明細書
【補正対象項目名】００５７
【補正方法】変更
【補正の内容】
【００５７】
外側ガラス板１，３は、吸着カップによって所定位置に運ばれる。図３，図４及び図６の実施形態において、外側ガラス板１は、例えば、コンベアベルト１０と共に移動可能なフレームに支えられている。ガラス板２，３がガラス板１に寄り掛かって傾斜していることから、これらは助力なしで立っている。フレーム以外の姿勢保持手段を必要としない。だが、それにもかかわらず該工程のユーザから希望があれば、他の姿勢保持手段を提供することも可能である。他の姿勢保持手段は、例えば、内側ガラス板２のための掴み具である。これらの掴み具は、ガラス板の二つの面を縁部近傍で把持するか、又は、ガラス板の縁面を様々な箇所で把持する。他の姿勢保持手段は、例えば、外側ガラス板３については吸着カップである。このような他の保持手段は、キャビティ８，９にガスを充填する工程及び押圧工程のどちらも妨害しない。なぜなら、掴み具の寸法は、押圧工程後にマスチック６，７が注入されるスペーサ４，５，４´の外縁面とガラス板の縁部との間の間隔よりも小さいからである。
【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
FVIII活性を有し、in vitroにおける安定性を増大させた、組換えFVIIIバリアントであって、半減期延長部分とコンジュゲートされ、in vitroにおける安定性を結果として増大させるアミノ酸変化が導入されている、組換えFVIIIバリアント。
【請求項２】
ジスルフィド架橋を含む、請求項1に記載の組換えFVIIIバリアント。
【請求項３】
前記ジスルフィド架橋が、FVIIIバリアントの2つのドメインを共有結合により連結している、請求項2に記載の組換えFVIIIバリアント。
【請求項４】
ジスルフィド架橋が、重鎖と軽鎖とを連結している、請求項2に記載の組換えFVIIIバリアント。
【請求項５】
疎水性のアミノ酸残基によるアミノ酸置換を含み、導入された疎水性のアミノ酸残基が、FVIIIバリアントの疎水性相互作用およびin vitroにおける安定性を増大させる、請求項1から4のいずれか一項に記載の組換えFVIIIバリアント。
【請求項６】
正に帯電したアミノ酸残基および負に帯電したアミノ酸残基の形態でアミノ酸置換を含むバリアントであって、導入された帯電残基が、FVIIIバリアントの静電相互作用およびin vitroにおける安定性を増大させる、請求項1から5のいずれか一項に記載の組換えFVIIIバリアント。
【請求項７】
Bドメイン切断バリアントである、請求項1から6のいずれか一項に記載の組換えFVIIIバリアント。
【請求項８】
側鎖基が、切断Bドメインに位置するOグリカンに連結され、前記FVIIIバリアントが活性化すると、前記側鎖基が除去される、請求項7に記載の組換えFVIIIバリアント。
【請求項９】
Bドメインの配列が、配列番号2に示される、請求項7または8に記載の組換えFVIIIバリアント。
【請求項１０】
半減期延長部分が、親水性ポリマー、抗体またはその抗原結合断片、Fcドメイン、ポリペプチド、および脂肪酸または脂肪酸誘導体からなる群から選択される、請求項1から9のいずれか一項に記載の組換えFVIIIバリアント。
【請求項１１】
配列番号3によるアミノ酸配列を含む、請求項1から10のいずれか一項に記載の組換えFVIIIバリアント。
【請求項１２】
以下の置換:S149CおよびE1969Cを含む、請求項1から11のいずれか一項に記載の組換えFVIIIバリアント。
【請求項１３】
以下の置換:D666CおよびS1788Cを含む、請求項1から11のいずれか一項に記載の組換えFVIIIバリアント。
【請求項１４】
請求項1から13のいずれか一項に記載のFVIIIバリアントを含む医薬組成物。
【請求項１５】
血友病を治療するための、請求項14に記載の医薬組成物。
【手続補正書】
【提出日】平成26年5月9日(2014.5.9)
【手続補正１】
【補正対象書類名】特許請求の範囲
【補正対象項目名】全文
【補正方法】変更
【補正の内容】
【特許請求の範囲】
【請求項１】
一般式（Ｉ）
【化１】
2013532132.tif 000001
を有する化合物であって、
Xが、OH、NH2、NHOH、又はR’NHであり、ここでR’は、線状又は分枝状の、飽和又は不飽和のC1〜C10アルキル基であり、
Yが、電子求引性基であり、
R1及びR2が互に独立に、H又は線状若しくは分枝状の、飽和若しくは不飽和のC1〜C10アルキル基であり、
Fが、クリックケミストリーによって活性化可能な反応性官能基である、
前記化合物。
【請求項２】
XがOHである、請求項１に記載の化合物。
【請求項３】
Yが、NO2であり、好ましくはXに対してオルト位にあるNO2である、請求項１又は２に記載の化合物。
【請求項４】
R1及びR2がHである、請求項１〜３のいずれか１項に記載の化合物。
【請求項５】
Fが、-C≡CR'''、-N3、-SH、-C=CH2、シクロオクチン、マレイミド、-SO2N3、又は-COSR'''であり、ここでR'''はH又は線状若しくは分枝状の、飽和若しくは不飽和のC1〜C10アルキル基である、請求項１〜４のいずれか１項に記載の化合物。
【請求項６】
一般式（ＩＩ）
【化２】
2013532132.tif 000002
を有する化合物又はその医薬的に許容できる塩であって、
R1及びR2が、請求項１〜５において記載されたとおりであり、
Ｙが、Ｈ又は電子求引性基であり、
X'が、O、NH、NOH、R’Nであり、ここでR’は請求項１に記載されたとおりであり、
Eが、カルボキシル基又はエーテル結合によってX'に結合された不安定基であり、
Aが、O、S、NH、NR"であり、ここでR"は線状又は分枝状の、飽和又は不飽和のC1〜C10アルキル基であり、好ましくはNHであり、
Dが、治療又は診断において使用可能な活性化合物であり、
n = 0又は1であり、且つ、Zが、O又はNから選ばれる１又はそれより多いヘテロ原子により中断されていてもよい、線状又は分枝状の、飽和又は不飽和のC1〜C10アルキレン基、グリコシル基、O-(CHR3-CHR4-O-)m又はN-(CHR3-CHR4-O-)m基（mは1〜20の自然整数であり、R3及びR4は互に独立にH又はCH3であり、ただしR3及びR4は同時にはCH3でない）、アミノ酸若しくはペプチドに由来する基、又はそれらの組み合わせである、
Lは、ペプチド、タンパク質、抗体、若しくは抗原を認識する抗体断片、細胞受容体のリガンド、バイオポリマー、単糖、オリゴ糖、ホルモン、ビタミン、デンドリマー、ポリアミン、又はナノパーティクルから選ばれるターゲティングリガンドである、
Gは、請求項１において記載されたとおりのF基とx-(Z)n-L基との間のクリックケミストリー反応の結果として得られる基であり、ここでZ及びLは上記で記載されたとおりであり、且つ、xは、クリックケミストリーにより活性化可能であり且つFと反応することができる反応性官能基である、
前記化合物。
【請求項７】
YがX'のオルト位にあるNO2であり、且つ、R1及びR2がHである、請求項６に記載の化合物。
【請求項８】
該不安定基Ｅが、グルクロニダーゼ、グリコシダーゼ、プロテアーゼ、ペプチダーゼ、及びメタロプロテアーゼから選ばれる酵素の基質である、請求項６又は７に記載の化合物。
【請求項９】
請求項６〜８のいずれか１項に記載の化合物を調製する為の方法であって、
一般式（Ｉ）
【化３】
2013532132.tif 000003
を有する化合物であって、
Xが、OH、NH2、NHOH、又はR’NHであり、ここでR’は、線状又は分枝状の、飽和又は不飽和のC1〜C10アルキル基であり、
Yが、H又は電子求引性基であり、
R1及びR2が互に独立に、H又は線状若しくは分枝状の、飽和若しくは不飽和のC1〜C10アルキル基であり、
Fが、クリックケミストリーによって活性化可能な反応性基である、
化合物を、
D-v、E-w、及びL-(Z)n-xグループと反応させることからなり、
ここでD、E、及びL並びにZは、請求項６又は８において記載されたとおりであり、且つ、v、w、及びxはそれぞれ、一般式（Ｉ）を有する該化合物に関して、vは該ベンジル炭素に結合したOH又は前記前もって活性化されたOHと反応し、wはXと反応し、且つ、xはFと反応する反応性官能基である、
前記方法。
【請求項１０】
vが、NH2、NHR"、OH、又はSHから選ばれ、R"が請求項６において記載されたとおりである、請求項９に記載の方法。
【請求項１１】
ｗが、ハライド基から選ばれる、請求項９又は１０に記載の方法。
【請求項１２】
x及びFが、クリックケミストリーにより活性化可能な反応性官能基の以下の対から選ばれるものである、請求項９〜１１のいずれか１項に記載の方法、 (-N3, -C≡CR''')、(-SH, -C=CH2)、(-N3, シクロオクチン)、(-SH, マレイミド)、(-SO2N3, -COSR''')、ここでR'''はH又は線状若しくは分枝状の、飽和若しくは不飽和のC1〜C10のアルキル基である。
【請求項１３】
請求項９〜１２のいずれか１項に記載の方法によって得られる化合物又はその医薬的に許容できる塩。
【請求項１４】
請求項６〜８及び１３のいずれか１項に記載の一般式（ＩＩ）を有する少なくとも１つの化合物又はその医薬的に許容できる塩の少なくとも有効量を含む医薬組成物又は診断組成物。
【請求項１５】
請求項６〜８及び１３のいずれか１項に記載の一般式（ＩＩ）を有する化合物又はその医薬的に許容できる塩を調製する為のキットであって、一般式（Ｉ）
【化４】
2013532132.tif 000004
を有する少なくとも一つの化合物であって、
Xが、OH、NH2、NHOH、又はR’NHであり、ここでR’は、線状又は分枝状の、飽和又は不飽和のC1〜C10アルキル基であり、
Yが、H又は電子求引性基であり、
R1及びR2が互に独立に、H又は線状若しくは分枝状の、飽和若しくは不飽和のC1〜C10アルキル基であり、
Fが、クリックケミストリーによって活性化可能な反応性基である、前記化合物、
及び、D-v、E-w、及びL-(Z)n-xグループから選択される少なくとも一つのグループを含み、
ここでL、Z、n、D、及びEは、請求項６〜８において記載されたとおりであり、且つ、v、w、及びxは請求項９〜１２において記載されたとおりであり、該化合物は、一般式（Ｉ）を有し、且つ、D-v、E-w、及びL-(Z)n-xから選択される該グループが別個に条件付けされる、前記キット。
【手続補正書】
【提出日】平成26年5月16日(2014.5.16)
【手続補正１】
【補正対象書類名】特許請求の範囲
【補正対象項目名】全文
【補正方法】変更
【補正の内容】
【特許請求の範囲】
【請求項１】
ビチス・ビニフェラL.の葉のエキスの調製方法であって、下記工程：
a)  ビチス・ビニフェラL.の葉から薬物を調製する工程、
b)  この薬物を水及び水とアルコールの混合物の中から選択される溶出液で抽出して生エキスを得る工程、
c)  この生エキスを抽出薬物から分離する工程、
d)  少なくとも部分的に前記溶出液を除去して濃厚エキスを得る工程、
e)  この濃厚エキスを再び水に溶解させる工程、
f)  いずれの不溶成分をも分離除去する工程、
g)  下記
i.  2相抽出又は
ii.  膜ろ過
によって選択的に二次植物成分を濃縮する工程
を含む方法。
【請求項２】
前記溶出液が、水又は5〜95%(V/V)のエタノールを含有するエタノール-水混合物である、請求項1に記載の方法。
【請求項３】
前記抽出のために前記溶出液を40〜80℃の温度に加熱する、請求項1〜2のいずれか1項に記載の方法。
【請求項４】
前記2相抽出が固相抽出である、請求項1〜3のいずれか1項に記載の方法。
【請求項５】
第2相が吸着剤樹脂である、請求項4に記載の方法。
【請求項６】
前記2相抽出が液液抽出である、請求項1〜5のいずれか1項に記載の方法。
【請求項７】
第2相が、アルコール、ケトン、アルカン又はエステルの中から選択される水非混和性液体である、請求項6に記載の方法。
【請求項８】
請求項1〜7のいずれか1項に従って調製されたエキス。
【請求項９】
天然薬物とエキスの比(DEVnative)が12:1〜40:1であり、全フラボノイド含量が少なくとも15質量%であり、アントシアニンの含量が少なくとも0.1質量%である、請求項8に記載のエキス。
【請求項１０】
請求項8〜9のいずれか1項に記載のエキスと、少なくとも1種の生理学的に許容できるアジュバントとを含有するエキス製剤。
【請求項１１】
請求項8〜10のいずれか1項に記載のエキス又はエキス製剤の、薬剤、医薬製剤又は栄養補助食品の製造のための使用。
【請求項１２】
血管若しくは胃腸管の炎症性疾患、静脈の微小循環性障害、虚血性疾患、痔核愁訴又は肛門周囲血栓症の治療又は予防のために使用するための、請求項8〜10のいずれか1項に記載のエキス又はエキス製剤を含む医薬組成物。
【請求項１３】
前記血管の炎症性疾患が静脈炎である、請求項12に記載の医薬組成物。
【請求項１４】
前記静脈の微小循環性障害が慢性静脈不全(CVI)である、請求項12に記載の医薬組成物。
【請求項１５】
前記虚血性疾患が心疾患の中から選択される、請求項12に記載の医薬組成物。
【手続補正書】
【提出日】平成26年2月4日(2014.2.4)
【手続補正１】
【補正対象書類名】特許請求の範囲
【補正対象項目名】全文
【補正方法】変更
【補正の内容】
【特許請求の範囲】
【請求項１】
１つのリジン残基を有する改変クロロトキシンペプチド。
【手続補正２】
【補正対象書類名】明細書
【補正対象項目名】０１１１
【補正方法】変更
【補正の内容】
【０１１１】
独占的所有または特権が要求される発明の実施形態を、以下に定義する。
また、本願の当初の請求項の記載内容を実施の態様として以下に付記する。
（１）
１つのリジン残基を有する改変クロロトキシンペプチド。
（２）
１つのリジン残基を有する改変クロロトキシンを提供するためにリジン以外のアミノ酸で置換された天然クロロトキシンのＬｙｓ１５およびＬｙｓ２３を有する改変クロロトキシンペプチド。
（３）
配列番号２に示したアミノ酸配列を有する改変クロロトキシンペプチド。
（４）
Ｌｙｓ１５およびＬｙｓ２３が、天然および非天然アミノ酸からなる群から独立に選択されるアミノ酸で置換されている、（１）〜（３）のいずれか一項に記載の改変クロロトキシンペプチド。
（５）
Ｌｙｓ１５およびＬｙｓ２３がアラニンで置換されている、（１）〜（４）のいずれか一項に記載の改変クロロトキシンペプチド。
（６）
Ｌｙｓ１５およびＬｙｓ２３がアルギニンで置換されている、（１）〜（４）のいずれか一項に記載の改変クロロトキシンペプチド。
（７）
Ｌｙｓ１５がアラニンで置換され、Ｌｙｓ２３がアルギニンで置換されている、（１）〜（４）のいずれか一項に記載の改変クロロトキシンペプチド。
（８）
Ｌｙｓ１５がアルギニンで置換され、Ｌｙｓ２３がアラニンで置換されている、（１）〜（４）のいずれか一項に記載の改変クロロトキシンペプチド。
（９）
配列番号３に示すアミノ酸配列を有する改変クロロトキシンペプチド。
（１０）
配列番号４に示すアミノ酸配列を有する改変クロロトキシンペプチド。
（１１）
配列番号５に示すアミノ酸配列を有する改変クロロトキシンペプチド。
（１２）
配列番号６に示すアミノ酸配列を有する改変クロロトキシンペプチド。
（１３）
（１）〜（１２）のいずれか一項に記載の改変クロロトキシンペプチドを含む組成物。
（１４）
薬学的に許容可能なキャリアをさらに含む、（１３）に記載の組成物。
（１５）
クロロトキシンの投与によって治療可能な疾患または状態を治療する方法であって、それを必要とする対象に（１）〜（１２）のいずれか一項に記載の改変クロロトキシンペプチドの有効量を投与することを含む方法。
（１６）
（１）〜（１２）のいずれか一項に記載の改変クロロトキシンペプチドを含むクロロトキシンコンジュゲート。
（１７）
治療用、診断用、イメージング用もしくはターゲティング用薬剤、または改変クロロトキシンペプチドの循環半減期を延長する部分の１以上に共有結合した（１）〜（１２）のいずれか一項に記載の改変クロロトキシンペプチドを含むクロロトキシンコンジュゲート。
（１８）
前記治療用、診断用、イメージング用もしくはターゲティング用薬剤、または改変クロロトキシンペプチドの循環半減期を延長する部分が、リジン残基を介して前記改変クロロトキシンペプチドに共有結合している、（１７）に記載のクロロトキシンコンジュゲート。
（１９）
前記診断用またはイメージング用薬剤が、蛍光標識、放射標識および磁気共鳴イメージング標識からなる群から選択される、（１７）または（１８）に記載のクロロトキシンコンジュゲート。
（２０）
前記診断用またはイメージング用薬剤が量子ドットまたはポリマードットからなる群から選択される、（１７）または（１８）に記載のクロロトキシンコンジュゲート。
（２１）
前記診断用またはイメージング用薬剤が、ホウ素ナノ粒子、ホウ素および炭素ナノ粒子、炭化ホウ素ナノ粒子、ホウ素含有ポリマー、ホウ素および炭素含有ポリマー、炭化ホウ素ポリマー、ならびにガドリニウムをさらに含むこれらのナノ粒子またはポリマーのいずれかからなる群から選択される、（１７）または（１８）に記載のクロロトキシンコンジュゲート。
（２２）
前記ターゲティング用薬剤が、抗体、ポリペプチド、多糖、および核酸からなる群から選択される、（１７）または（１８）に記載のクロロトキシンコンジュゲート。
（２３）
前記治療用薬剤が、化学療法剤および生物学的治療剤からなる群から選択される、（１７）または（１８）に記載のクロロトキシンコンジュゲート。
（２４）
前記治療用薬剤が、メトトレキサート、ドセタキセル、シスプラチン、およびエトポシドからなる群から選択される、（１７）または（１８）に記載のクロロトキシンコンジュゲート。
（２５）
前記治療用薬剤が、ｃＤＮＡ、ｓｉＤＮＡ、ｓｈＲＮＡ、およびＲＮＡｉからなる群から選択される、（１７）または（１８）に記載のクロロトキシンコンジュゲート。
（２６）
前記改変クロロトキシンペプチドの循環半減期を延長する部分が、ＰＥＧ部分、グリコシル部分、およびグリコシルＰＥＧ部分からなる群から選択される、（１７）または（１８）に記載のクロロトキシンコンジュゲート。
（２７）
クロロトキシンによりイメージング可能な組織をイメージングする方法であって、クロロトキシンによりイメージング可能な組織を（１７）〜（２１）のいずれか一項に記載のクロロトキシンコンジュゲートと接触させて、クロロトキシンによりイメージング可能な組織をイメージングすることを含む方法。
（２８）
クロロトキシンにより検出可能ながんを検出する方法であって、改変クロロトキシンによりイメージング可能な組織を（１７）〜（２１）のいずれか一項に記載の改変クロロトキシンコンジュゲートと接触させて、クロロトキシンにより検出可能ながんを検出することを含む方法。
（２９）
クロロトキシンにより検出可能ながんを検出し除去する方法であって、
（ａ）組織を（１７）〜（２１）のいずれか一項に記載の改変クロロトキシンコンジュゲートと接触させてがん性組織を検出することと、
（ｂ）前記改変クロロトキシンコンジュゲートにより検出されたがん性組織を除去することと
を含む方法。
（３０）
改変クロロトキシンコンジュゲートが標的とするがんを治療する方法であって、改変クロロトキシンに結合する組織を（１７）、（１８）、（２３）〜（２５）のいずれか一項に記載の改変クロロトキシンコンジュゲートと接触させることを含む方法。
【手続補正書】
【提出日】平成26年9月19日(2014.9.19)
【手続補正１】
【補正対象書類名】特許請求の範囲
【補正対象項目名】全文
【補正方法】変更
【補正の内容】
【特許請求の範囲】
【請求項１】
【化１】
2013532130.tif 000001
からなる群より選択される構造式で表される化合物、またはその薬学的に許容され得る塩。
【請求項２】
構造式
【化２】
2013532130.tif 000002
で表される請求項１に記載の化合物、またはその薬学的に許容され得る塩。
【請求項３】
構造式
【化３】
2013532130.tif 000003
で表される請求項１に記載の化合物、またはその薬学的に許容され得る塩。
【請求項４】
構造式
【化４】
2013532130.tif 000004
で表される請求項２に記載の化合物、またはその薬学的に許容され得る塩。
【請求項５】
構造式
【化５】
2013532130.tif 000005
で表される請求項３に記載の化合物、またはその薬学的に許容され得る塩。